(57)【要約】  【目的】記録紙積載トレイを含む装置全体を設置するために必要な空間（設置面積および設置高さ）を小さくし、記録紙積載トレイを装置本体へ容易に装着することができ、部品点数削減によるコストダウンを実現できる記録シート保持装置を提供する。  【構成】装置本体に回動可能に取り付けられた記録紙積載メイントレイ２６と該記録紙積載メイントレイに回動可能に取り付けられた記録紙積載サブトレイ２８とで折りたたみ可能な記録紙積載トレイ１２を構成するとともに、排紙トレイを兼ねた記録紙カバー２７を記録紙積載メイントレイに回動可能に取り付ける。【選択図】                図２
2005119858.tif 000002
【特許請求の範囲】
【請求項１】
記録シートを保持する記録紙積載トレイと前記記録紙積載トレイに積載された記録シート上面をカバーする記録紙カバーとを有し、前記記録紙積載トレイに積載された記録シートが記録後に前記記録紙カバーの外側に排紙積載される記録紙搬送経路を有する記録シート保持装置において、前記記録紙積載トレイは装置本体に回動可能に取り付けられた記録紙積載メイントレイと該記録紙積載メイントレイに回動可能に取り付けられた記録紙積載サブトレイとから成り、前記記録紙カバーは前記記録紙積載メイントレイに回動可能に取り付けられていることを特徴とする記録シート保持装置。
【請求項２】
前記記録紙積載メイントレイは最大積載記録シートの概略半分の長さまでを積載できる部品サイズであることを特徴とする請求項１に記載の記録シート保持装置。
【請求項３】
前記記録紙積載サブトレイを回転させ閉じた状態では、前記記録紙カバーの外側の面と前記記録紙積載サブトレイの非積載面とが概略同一面になることを特徴とする請求項１又は２に記載された記録シート保持装置。
【請求項４】
前記記録紙積載メイントレイに取り付けられた前記記録紙カバーを開いた時、該記録紙カバーの重心が該記録紙カバーの回転中心より開き側になることを特徴とする請求項１〜３のいずれかに記載された記録シート保持装置。
【請求項５】
前記記録紙積載メイントレイに取り付けられた前記記録紙カバーを開いた状態で記録シートが排出される場合に、排紙される記録シートの先端により前記記録紙カバーを閉じることができるように、前記記録紙カバーの重心の位置が選定されていることを特徴とする請求項４に記載された記録シート保持装置。
【発明の詳細な説明】
【技術分野】
【０００１】
本発明は、記録紙積載トレイにセットされた記録シートを１枚ずつ分離して記録部へ搬送すると共に記録された記録シートを排紙積載部へ搬送する記録紙搬送経路を有する記録シート保持装置に関する。
【背景技術】
【０００２】
プリンタ、ファクシミリ、複写機等の記録装置においては、記録紙積載トレイにセットされた被記録媒体としての記録シート（記録紙）を１枚ずつ分離して画像記録部へ給送（搬送）するとともに、画像記録部で記録された記録紙を排紙積載部へ搬送するように構成される記録シート保持装置が使用されている。図９は、従来の記録シート保持装置を備えた記録装置の構造例をファクシミリ装置の場合を例に挙げて示す模式的縦断面図である。先ず、図９を参照して従来の記録シート保持装置について説明する。図９において、２２６は被記録媒体としての記録シート（記録紙）Ｐが積載される記録紙積載トレイであり、２２７は記録紙積載トレイ２２６内の記録紙Ｐを覆う記録紙カバーであり、２３４は積載された（セットされた）複数枚の記録紙を１枚ずつ分離するための記録分離パッドであり、２３３は記録紙Ｐを１枚ずつ画像記録部へ給送（搬送）するためのピックアップローラ（給紙ローラ）である。
【０００３】
記録給紙動作指令により、記録紙積載トレイ２２６にセットされた記録シート（記録紙）Ｐの給紙動作が開始され、ピックアップローラ２３３が時計方向に回転する。そうすることで最上層の記録紙Ｐにピックアップローラ２３３による搬送力が与えられ、記録分離パッド２３４により１枚ずつ分離され下流へ（画像記録部へ向けて）搬送される。画像記録部における記録手段により画像が記録された記録紙Ｐは、ガイド２３８によりＵターンされた後、記録紙カバー２２７の上に排出され、一連の搬送および記録の動作が終了する。
【特許文献１】特開２００３−１４３３４１号公報
【発明の開示】
【発明が解決しようとする課題】
【０００４】
しかしながら、従来の記録シート保持装置においては、記録シート搬送方向の縦断面から見た記録紙積載トレイ２２６の大きさは、記録紙サイズより若干大きいサイズで構成され、それに伴い記録紙カバー２２７のサイズも記録紙積載トレイ２２６程度のものになっており、そのため、図９からも明らかなように、記録シート保持装置を有するファクシミリ装置を設置する場所として、該ファクシミリ装置自体の奥行き寸法よりもかなり大きな設置面積が必要になる。また、高さ的にもファクシミリ装置本体よりかなり高い構造物を許容できる場所が必要になり、ファクシミリ装置自体よりかなり大きなスペースがないと設置することができない。
【０００５】
この状況は、記録紙積載トレイ２２６に記録紙Ｐがセットされていない状態でも何ら変わることがない。つまり、ファクシミリ装置自体については小型化が図られているものの、設置占有領域の面からは装置本体ほどの小型化（省スペース化）になっていなかった。その対応策として、記録紙積載トレイ２２６を通常では外した形態で設置することも考えられるが、記録を行う度に記録紙積載トレイを装着することはユーザに面倒をかけるばかりではなく、記録紙積載トレイ自体を紛失する可能性につながるおそれもある。
【０００６】
本発明はこのような技術的課題を鑑みてなされたものであり、本発明の目的は、記録紙積載トレイを含む装置全体を設置するために必要な空間（設置面積および設置高さ）を小さくすることができ、記録紙積載トレイを装置本体へ容易に装着することができ、記録紙積載トレイの部品削減およびコストダウンを図ることができる記録シート保持装置を提供することである。
【課題を解決するための手段】
【０００７】
本発明は、上記目的を達成するため、記録シートを保持する記録紙積載トレイと前記記録紙積載トレイに積載された記録紙上面をカバーする記録紙カバーとを有し、前記記録紙積載トレイに積載された記録シートが記録後に前記記録紙カバーの外側に排紙積載される記録紙搬送経路を有する記録シート保持装置において、前記記録紙積載トレイは装置本体に回動可能に取り付けられた記録紙積載メイントレイと該記録紙積載メイントレイに回動可能に取り付けられた記録紙積載サブトレイとから成り、前記記録紙カバーは前記記録紙積載メイントレイに回動可能に取り付けられていることを特徴とする。
【発明の効果】
【０００８】
本発明によれば、記録紙積載サブトレイを回動させて閉じることにより記録紙積載トレイを含む装置全体を設置するために必要な空間（設置面積および設置高さ）を小さくすることができ、記録紙積載メイントレイに記録紙積載サブトレイおよび記録紙カバーが取り付けられることから記録紙積載トレイをユニットとして装置本体に容易に装着することができ、さらに、記録紙カバーが記録紙排紙トレイを兼ねることから部品削減によるコストダウンを図ることができる。
【発明を実施するための最良の形態】
【０００９】
以下、図面を参照して本発明の実施の形態を具体的に説明する。なお、各図面を通して同一符号は同一又は対応部分を示すものである。図１は本実施形態に係る記録シート保持装置を備えたファクシミリ装置の外観斜視図であり、図２は本実施形態に係る記録シート保持装置を備えたファクシミリ装置の構成を示す中央部縦断面図である。図１および図２において、ファクシミリ装置１２０は、原稿の画像を読み取って送信したり、画像情報を受信して記録紙に画像を記録したりするように構成されている。このファクシミリ装置１２０は、原稿の画像を読み取って、その画像を記録紙に複写することもできるように構成されている。なお、記録紙の代わりに、記録紙の代用品であるプラスチック製の薄いもの、ＯＨＰ用紙、ロール巻きの長尺用紙を繰り出して切断処理したシート、あるいは封筒など、種々の媒体を被記録媒体として使用することも可能である。また、本実施形態においては、記録手段としてサーマルヘッドが使用されており、記録紙としてインクフィルムのインクを転写するものが使用されている。
【００１０】
なお、図１および図２を含む各図のファクシミリ装置１２０においては、装置の左右はユーザが装置を使用するときに該装置に向き合ったときの左側をファクシミリ装置の左側とし、同じく向き合ったときの右側をファクシミリ装置の右側とする。また、ユーザが装置を使用するときに該装置に向き合ったときの装置手前側の方をファクシミリ装置の前方とし、同じく向き合ったときの装置の奥の方をファクシミリ装置の後方とする。図１および図２において、ファクシミリ装置１２０の装置本体下部には電気基板が取り付けられた底板７４があり、底板７４の上部には装置本体１６のフレームとして機能する下カバー２４が設けられている。
【００１１】
下カバー２４には、記録シートＰを１枚ずつ分離供給するＡＳＦ部２（Auto Sheet Feeder)と、ＡＳＦ部２から搬送された記録シートに画像を記録するための画像記録部３と、装置前方に配置され、原稿Ｄを読み取るための読取部（画像読取部）５と、が取り付けられている。さらに、下カバー２４には、原稿を１枚ずつ分離給送するＡＤＦ部（Auto Document Feeder) ６と、ＡＤＦ部６から搬送された原稿を原稿読取部５で浮かないように保持すると共に装置外へ搬送するＣＩＳ（コンタクトイメージセンサ）ローラ５１と、が取り付けられている。これらの各種部品を下カバー２４に取付けることにより下カバーユニット８が構成されている。
【００１２】
装置本体１６のフレームとして機能する下カバーユニット８の上部には、上カバーユニット１５が下カバーユニット８に対して回動自在に設けられている。上カバーユニット１５は、上カバーユニット９と操作パネル部１０とで構成されている。上カバーユニット９は、下カバーユニット８に近い方から装置本体１６の外装および原稿搬送路１０７の下側のガイドを形成している。上カバーユニット９の上には操作部ユニット１５が取り付けられている。操作部ユニット１５は、操作パネル部１０とＡＤＦフレームユニット１１とを一体化して構成されている。そして、操作パネル部１０には、原稿搬送路１０７の上側ガイドとして機能するＡＤＦ（Auto Document Feeder) フレームユニット１１と、装置本体１６の操作を行うためのボタン類や装置の状態を示す表示部１４と、が設けられている。この表示ユニット１４は操作パネル部１０に対して回動可能に取り付けられている。表示ユニット１４内の表示部は１００００ドット以上のドットにより構成されている。
【００１３】
すなわち、本実施形態においては、操作部ユニット１５は、操作パネル部１０とＡＤＦフレームユニット１１と上カバーユニット（給紙フレームカバーユニット）９とを備えている。そして、操作パネル部１０とＡＤＦフレームユニット１１との間はビスで固定され、また、ＡＤＦフレームユニット１１と上カバーユニット９との間もビスで固定されている。従って、操作部ユニット１５は下カバーユニット８に対して回動自在に配設されており、操作部１０とＡＤＦフレームユニット１１と上カバーユニット９とは同時に回動するように構成されている。
【００１４】
次に、装置全体の電装のレイアウトについて説明する。図２に示すように、システム制御基板７１、フック基板（不図示）、無線ユニットが実装されたコードレス子機基板（不図示）、モジュラー端子が実装されたＮＣＵ基板（不図示）が底板７４に取り付けられている。各デバイスおよび各基板に電気を供給するための電源基板７９は底板７４の装置後方に相当する位置に固定され、このレイアウトのメリットとして、高さの高い実装部品を有する基板を適切に配置することにより装置全体の高さを低く抑えることができるという効果がある。
【００１５】
次に、ファクシミリ装置１２０の動作について詳細に説明する。図４は本実施形態の駆動系を示す図であり、図４の（ａ）は駆動系の側面図であり、図４の（ｂ）は駆動系およびローラ類を斜め上から見た斜視図である。図４は下記に示すモード３のときの駆動系の状態を示している。先ず本実施形態における駆動系について説明する。本実施形態では、１つのモータ５２により全てのローラを駆動している。そのため、モータ５２を一旦逆方向に回転させ、どのローラで搬送するのかを選択し（選択モード）、その後、選択したローラを駆動するためにモータ５２を正方向に回転（駆動モード）させる。選択モードでは、モータ駆動を逆方向に回転させると切り替え制御用円筒を伴ったギア５３が回転し、その切り替え制御用円筒の回転位置により各種アーム５４（５４ａ、５４ｂ、５４ｃ）の位置が制御され、各モードに適したギア連結・駆動連結が行われる。
【００１６】
具体的には、読取系のローラである分離ローラ４７およびＣＩＳローラ５１と、記録系のローラである排紙ローラ４２を駆動する状態（モード１）、記録シート（記録紙）Ｐのピックアップローラ３３と排紙ローラ４２を駆動する状態（モード２）、プラテンローラ３９と排紙ローラ４２を駆動する状態（モード３：図４）、並びに排紙ローラ４２のみを駆動する状態（モード４）の４つのモードに切り替えることができる。各モードに切り替えた後、モータ５２の回転方向を正方向に切り替えることにより各種ローラに駆動力が伝達される。
【００１７】
次に、本実施形態に係るファクシミリ装置１２０の記録動作について説明する。図１および図２において、記録紙（記録シート）Ｐは記録紙搬送路１１７に沿って矢印Ｓ方向に搬送される。記録紙積載トレイ（記録紙トレイユニット）１２は記録紙積載メイントレイ２６と記録紙積載サブトレイ２８とで構成されている。記録紙積載メイントレイ２６は、給紙フレーム３２に着脱自在に装着されており、ＡＳＦ部（Auto Sheet Feeder)２にセットされた記録紙Ｐの後端が垂れ下がらないように支持している。記録紙積載メイントレイ２６のカバーである記録紙カバー２７は、ＡＤＦ部（Auto Document Feeder) ６にセットされた原稿Ｄのトレイとしても使用される。記録紙挿入口である開口部２９は、記録紙Ｐを装置本体１６に受け入れるために開口している。
【００１８】
ＡＳＦ部２は、給紙フレーム３２にピックアップローラ３３と排紙ローラ４２とアンダーガイド３７を取り付けた構成を有する。上記給紙フレーム３２は、画像記録部までは記録紙搬送路１１７の上側を、画像記録部を通過した後では記録紙搬送路１１７の下側をガイドする機能を有している。上記アンダーガイド３７は、記録紙搬送路１１７の下側のガイドを形成している。また、記録紙の分離に関係する記録分離パッド３４はアンダーガイド３７に回動可能に保持されている。
【００１９】
図２において、記録予備圧接アーム３１は記録分離パッド３４の回転中心軸を中心に回動可能に保持され、該記録予備圧接アーム３１の上面に複数枚の記録紙が積載載置される。記録予備圧接アームばね３１ａは、この記録予備圧接アーム３１を上方へ加圧・回動させるためのものであり、記録予備圧接アーム３１を常にピックアップローラ３３に当接させる方向に作用している。記録分離パッド３４とアンダーガイド３７との間には記録分離パッドばね３４ａが配置されており、記録分離パッドばね３４ａは記録分離パッド３４をピックアップローラ３３へ当接させる方向に作用している。ピックアップローラ３３は、記録紙積載メイントレイ２６（記録紙積載トレイ１２）にセットされた複数枚の記録紙Ｐを、１枚ずつ分離して搬送（給送）する。記録分離パッド３４は、ピックアップローラ３３によって記録紙Ｐが複数枚重なって搬送されてきたときに、該記録紙Ｐを分離し、１枚の記録紙Ｐだけを搬送するように作用する。ＰＥセンサ（Paper Edge Sensor)３５は、１枚ずつ分離給送された記録紙Ｐの先端を検知する。
【００２０】
図３は、図２のファクシミリ装置の画像記録部周辺を拡大して示す模式的部分縦断面図である。図２および図３において、画像記録部３には、インクシート３６ａ、記録シート（記録紙）Ｐの幅方向に１ｍｍ当たり８つの発熱体を有するラインヘッド（ＴＰＨ：Thermal Print Head) ４１、記録シートＰおよびインクシート３６ａをＴＰＨ４１に押し付けると共に記記録シートＰを搬送するためのプラテンローラ３９、などが設けられている。きれいな画像記録を行うためにＴＰＨ４１とプラテンローラ３９とは合計３〜４kgf のばね力によって圧接されている。しかしながら、モールド材で形成されている下カバー２４は、直接これだけのばね力を受けると変形等を含む様々な不具合を生じるおそれがある。そのために、ＴＰＨばね４１ａの座面に板金で形成されたＴＰＨの幅以上のＴＰＨステー４１ｂで下カバーを補強し、さらに、ＴＰＨ４１の左右方向ほぼ中心の下カバー２４の真下に、装置全体を制御する基板を保持する板金までのボス２４ａが設けられている。なお、図３において、３２ａは給紙フレームシートを、４０はくさび部を、４３はインクシートセンサを、それぞれ示す。
【００２１】
図２において、画像記録部３の下流には、記録済み記録シートＰの記録面側をガイドすると共に記録シートＰをＵターンさせるためのＵターンガイド３８、並びに、記録済みの記録シートＰを装置外に排出させるための排紙ローラ４２と不図示のばねにより該排紙ローラ４２に圧接されて該排紙ローラ４２に従動する排紙コロ４２ａが設けられている。記録紙積載メイントレイ２６の両端には側壁があり、壁の内側の距離は記録シートＰの幅より若干大きめになっている。そして、記録シートをセットした時の左右のバラツキは、記録紙積載メイントレイ２６の両側壁により規制される。記録紙積載メイントレイ２６は、給紙フレーム３２に回動可能に装着されているため、ハンドリング良く記録紙積載トレイ１２を装置本体に取付けることができる。
【００２２】
図５は、図２のファクシミリ装置に装着されるインクシートカートリッジ３６を示す模式的斜視図である。図２および図５において、インクシートカートリッジ３６は、供給側の紙管３６ｂに巻き付けられたインクシート３６ａを巻き取り側の紙管３６ｃにより巻き取る構造になっている。インクシートカートリッジ３６は、２つの板状のモールド部品３６ｄにより２つの紙管３６ｂ、３６ｃを保持する構造であり、装置本体１６に対して容易に着脱することができる。また、装置に装着した時に２つの紙管３６ｂ、３６ｃの平行度が規定される。インクシートカートリッジ３６の巻き取りは、前述のモード３の時、巻き取り側紙管３６ｃに取り付けられたギア３６ｅをモータで駆動することによって行われる。
【００２３】
巻き取り側紙管３６ｃの径は、最初は小さいが、巻き取るにしたがって大きくなる。そのため、巻き取り側の紙管３６ｃを一定のスピードで回転させるとインクシートの巻き取りスピードが変化する。一方、記録紙Ｐの搬送速度は一定にしないと、画像形成上正常な画像を記録することができない。そのため、記録シート（記録紙）Ｐの搬送速度を給紙フレーム３２に保持されたプラテンローラ３９によりコントロールし、インクシートカートリッジ３６の巻き取りスピードがプラテンローラ３９による搬送速度よりも少なくとも若干速くなるように設定される。
【００２４】
そして、巻き取り側の紙管３６ｃによるインクシート３６ａの巻き取り速度とプラテンローラ３９によるインクシートの搬送速度との間に生じる速度差は、巻き取り側の紙管３６ｃを駆動するギア配列の中に配置されたトルクリミッタにより調整（補正）される。このトルクリミッタは、ある一定値以上のトルクがかかると駆動が伝わらずに滑るように構成されている。こうすることにより、インクシート３６ａおよび記録紙（記録シート）記録紙Ｐを一定スピードで搬送すると共に、インクシート３６ａを弛むことなく巻き取ることができる。また、インクシートカートリッジ３６を使い終わると、全てのインクシート３６ａが供給側紙管３６ｂから外れ、巻き取り側紙管３６ｃにより巻き取られる。そこで、インクシート３６ａの有無は、下カバー２４に取り付けられたインクシートセンサ４３によって検出される。
【００２５】
次に、本実施形態に係るファクシミリ装置１２０の記録動作（プリント動作）について説明する。以上説明した構成において、外部からのファクシミリ信号、あるいは読取部５からの読取信号が送られてくると、モータ５２（図４）が始動する。まずはモータ５２を一旦逆方向に回転させ、モード２の状態にギアを連結した後、モータ５２を正回転させることにより、ピックアップローラ３３を図２中の時計方向に回転させる。その結果、記録予備圧接アーム３１に積載された複数枚の記録紙Ｐのうち、上層部の記録紙がピックアップローラ３３に接して矢印Ｓ方向に搬送され、下層部の記録紙Ｐは記録分離パッド３４によってせき止められる。そして、最上位の記録紙Ｐが１枚ずつ分離されて画像記録部３へ搬送される。
【００２６】
１枚に分離された記録紙Ｐの先端はＰＥセンサ３５によって検知される。ＰＥセンサ３５により検知された後、モータ５２により所定ステップ数搬送することで、記録紙Ｐの先端が、停止しているプラテンローラ３９およびＴＰＨ（Thermal Print Head) ４１のニップ部、並びに給紙フレーム３２に貼り付けられて紙ガイドをする給紙フレームシート３２ａによって形成されるくさび部４０に突き当てられる。次いで、記録紙Ｐに若干の弛みが形成されるようなモータ制御を行うことで、記録紙を分離する際やピックアップローラ３３により給紙を開始する際に生じる若干のスキューを取り除く。
【００２７】
この状態で、モータ５２を逆回転させることによりギア連結を前述のモード３の状態に変更する。この時、記録紙Ｐの後半部は停止しているピックアップローラ３３と記録分離パッド３４により挟持さており、記録紙Ｐのループが解消されることはない。その後、モータ５２を再度正方向に回転させ、所定の記録紙先端余白量に対応するステップ数だけ記録紙Ｐを搬送した後、記録動作を開始する。記録動作においては、記録紙搬送方向１ライン分の記録画像に応じたＴＰＨ４１の各発熱体を短時間発熱させることにより、プラテンローラ３９とＴＰＨ４１とに挟まれて記録紙Ｐといっしょに搬送されているインクシート３６ａのインクを溶解して記録紙Ｐに転写させる。
【００２８】
１ライン分の画像を記録した後、記録紙Ｐおよびインクシート３６ａをプラテンローラ３９により１ライン分搬送し、再度画像を記録する。ＰＥセンサ３５により記録紙Ｐの後端を検知した後、記録紙Ｐがさらに所定ステップ数搬送されるまで以上のような記録動作を繰り返す。この所定ステップ数は、ＰＥセンサ３５とＴＰＨ４１による印字位置との関係、並びに画像領域の後端余白量により、予め規定されている。画像記録された記録紙Ｐはインクシートと一緒に同速度で下カバー２４に形成された下流側のリブ２４ｂまで搬送される。その後、記録紙Ｐは給紙フレーム３２内に再突入し、インクシート３６ａはインクシートカートリッジ３６の巻き取り側紙管３６ｃにより巻き取られる。インクシート３６ａを記録紙Ｐからスムーズに剥がすために、インクシート３６ａは巻き取り側では逆向き、すなわち供給側紙管３６ｂでは外側になっていたインクシートの面を巻き取り側紙管３６ｃでは内側になるように巻き取るように構成されている。
【００２９】
一方、再突入した記録紙Ｐは、Ｕターンガイド３８により規制され、Ｕターンガイド３８に保持されている排紙コロ４２ａと給紙フレーム３２に保持されている排紙ローラ４２とにより、給紙フレーム３２の上面側に排紙される。記録紙後端が記録紙Ｐとインクシート３６ａとの剥離位置を過ぎるまで、モード３の状態で搬送を行う。これは、記録後、インクシート３６ａと記録紙Ｐとの剥離までの時間を一定にすることにより画像プロセスを一定に保つためである。その後、モータ５２が逆回転駆動され、ギア連結を前述のモード４の状態に変更した後、モータ５２を正回転させ、記録紙Ｐを完全に排出する。排出された記録紙Ｐは記録紙カバー２７の表面に積載される。そして、次頁の画像データがあれば、上記の一連の動作を繰り返して記録紙に画像を記録する。
【００３０】
次に、ファクシミリ装置１２０の読取部５の構成および動作について説明する。図２において、原稿Ｄは搬送経路１０７に沿って矢印Ｅ方向に搬送される。そのため、まず原稿給紙口カバー４５を開き、原稿Ｄを開口部（原稿挿入口）４４から挿入し、挿入された原稿Ｄの幅を規制するための原稿スライダ（不図示）により該原稿Ｄを所定の位置にセットする。原稿Ｄの有無はＤＳセンサ（Document Sensor)４６により検知される。原稿ＤはＡＤＦ部(Auto Document Feeder)６により１枚ずつ搬送される。ＡＤＦ部６は、分離ローラ４７と、支点４８ａを中心に回動可能に装着された分離片４８と、分離片４８を反時計方向に付勢する分離片ばね（不図示）とを有し、分離片４８によって原稿Ｄを分離ローラ４７に圧接するように構成されている。
【００３１】
分離ローラ４７の下流側には、センサ部が直接原稿Ｄに接触して画像情報を読み取るコンタクトイメージセンサ（ＣＩＳ）５０と、該ＣＩＳ５０に対向配置されたＣＩＳローラ５１とが配設されている。ＣＩＳローラ５１は原稿Ｄを搬送する搬送機能を有する。ＣＩＳローラ５１は装置本体の固定位置に装着されており、ＣＩＳ５０は圧縮ばね（不図示）によりＣＩＳローラ５１に向けて押し上げられている。そのため、原稿Ｄの浮きやバタツキを抑えながら、原稿Ｄに搬送力を付与することができる。
【００３２】
上記ファクシミリ装置１２０の読取部５の動作は次のとおりである。図２において、ユーザがＡＤＦ部６の開口部４４に原稿Ｄをセットすると、原稿検知センサ（ＤＳセンサ、Document Sensor)４６により原稿Ｄのセット完了を検知する。これに続いて、ユーザが操作パネル部１０に設けられた読取開始ボタン（不図示）を押すと、モータ５２が始動し、分離ローラ４７が反時計方向に回転駆動される。この結果、原稿Ｄは、反時計方向に回転する分離ローラ４７に圧接される分離片４８によって捌かれながら、最下層の１枚の原稿のみが分離されて読取部５へ搬送される。
【００３３】
このようにして、ＡＤＦ部６で分離された原稿Ｄは、分離ローラ４７により搬送される。原稿Ｄの先端は、ＣＩＳローラ５１の直前に配置された原稿先端検知センサ（ＤＥＳセンサ、Document Edge Sensor) ４９により検知される。ＤＥＳセンサ４９による原稿先端検知位置からＣＩＳ５０による読み取り位置までの必要ステップ数は実験等により予め求められているので、原稿Ｄを所定ステップ数搬送した後、ＣＩＳ５０によって原稿Ｄの下面を１ラインずつ順次読み取っていく。読み取りを終えた原稿Ｄは、ＣＩＳローラ５１により装置本体１６の前面に設けられた開口部５７から機外へ排出される。原稿Ｄが複数枚セットされているとき、ＤＳセンサ４６が原稿無しを検知するまで、モータ５２を回転させることにより、ＡＤＦ部６で原稿Ｄを１枚ずつ分離・搬送し、ＣＩＳ５０による画像データの読み取り動作を繰り返す。
【実施例１】
【００３４】
図６は図２のファクシミリ装置に記録シートＰをセットする時の状態を示す模式的縦断面図であり、図７は図２のファクシミリ装置において表示ユニットを折りたたんだ時の状態を示す模式的側面図であり、図８は図２のファクシミリ装置において記録紙積載サブトレイ２８を折りたたんだ時の状態を示す模式的側面図である。図２および図６〜図７において、記録シート保持装置は、記録紙積載トレイ（記録紙トレイユニット）１２と記録紙カバー２７とから構成されている。本発明を適用した記録シート保持装置においては、記録積載トレイ（記録紙トレイユニット）１２は、給紙フレーム３２に取り付けられている記録紙積載メイントレイ２６と、記録紙積載メイントレイ２６先端の回転軸２６ａに回転可能に保持されている記録紙積載サブトレイ２８とから構成されており、記録紙カバー２７は記録紙積載メイントレイ２６に回動可能に取り付けられている。
【００３５】
上記記録紙カバー２７は、記録紙積載メイントレイ２６にセットされた記録シートＰを覆うカバー部材としての機能と、記録済みの記録シートＰを保持するための排紙積載トレイとしての機能とを兼ね備えている。そして、例えば、記録紙積載メイントレイ２６のみの状態（図８のように記録紙積載サブトレイ２８を折りたたんだ状態）ではＡ４サイズの記録シートの長手方向の約半分を保持し、図７のように記録紙積載サブトレイ２８を開いた状態ではＡ４サイズの記録シートの長手方向の約３／４を保持できる長さに設定されている。そのため、記録シートの先端は記録紙積載トレイ１２によりしっかり保持されており、記録紙積載トレイ１２は２部品に分割されているものの、給紙時の分離性能に影響を及ぼすことはない。また、記録紙積載サブトレイ２８を含めると、記録シート全長の３／４を保持することにより、長期間放置されたとしても搬送に影響を及ぼすほど記録シートの後端が垂れ下がることはない。
【００３６】
ユーザが記録紙（記録シート）Ｐをセットする際は、まず記録紙カバー２７を装置手前側に開き、記録紙先端を開口部２９に合わせ、記録紙Ｐを記録紙積載メイントレイ２６にセットする（図６の矢印ｆ）。その後、記録紙カバー２７を矢印ｇ方向（図６）に戻すことで記録紙Ｐのセットが終了する。記録紙カバー２７は装置手前側へ約４０度回転可能であるため、最も開いた状態では記録紙カバー２７の重心は記録紙カバー２７の回動中心より装置手前側へ移動している。そのため、手を離しても開いた状態に保持することができ、両手を用いての記録紙Ｐのセットが可能となり、操作性を損なうことはない。
【００３７】
また、上記記録紙カバー２７の開閉角度は、万が一ユーザが記録紙カバー２７を閉じ忘れ、その状態で記録動作を行って排紙したとしても、排紙される記録紙（記録シート）Ｐの先端が記録紙カバー２７を押すことにより該記録紙カバー２７を閉じることができる範囲内の角度に設定されている。そのため、記録紙カバー２７を閉じ忘れた状態で記録動作を行ったとしても、紙ジャム等の不都合を生じることはない。また、本実施例では、受信した画像は一旦メモリ受信を行うため、必ずしも記録紙Ｐを常に記録紙トレイ１２にセットしておく必要はない。記録紙積載トレイ１２は前述したように途中で折り曲げられる構造になっており、記録紙積載サブトレイ２８は装置本体側に装着される記録紙積載メイントレイ２６先端の回転軸２６ａを中心に折りたたむことができる。
【００３８】
すなわち、装置本体の下カバー２４より後方にはみ出ていた記録紙積載サブトレイ（図７）を折りたたむ（図８の２８ａ）ことで、記録紙トレイ１２によりファクシミリ装置１２０の設置面積が大きくなることを防ぐことができる（図８）。また、記録紙Ｐをセットした状態であっても、記録紙積載サブトレイ２８が回転可能であるため、図８に示すように若干手前に回転させる（２８ｂ）ことで下カバー２４の範囲内に収めることができる。その他にも、前述した記録紙積載サブトレイ２８を折りたたんだ形態では、奥行きばかりではなく、装置高さを抑えることもできる。そのため、記録紙トレイユニット１２又は記録紙積載メイントレイ２６を外さなくてもファクシミリ装置の設置場所の自由度を向上させることができる。以上のような記録紙トレイユニットの構成および利点は、当然のことながらファクシミリ装置に限られるものではなく、記録シート保持装置を用いる機器であれば、記録装置や複写機などのその他の各種機器においても同様に適用可能であり、同様の作用効果が得られるものである。
【００３９】
すなわち、以上説明した実施例によれば、記録紙積載トレイに積載された記録紙（記録シート）が記録後に記録紙カバーの外側に排紙積載される記録紙搬送経路１１７を有する記録シート保持装置において、記録紙積載トレイ１２は装置本体に回動可能に取り付けられた記録紙積載メイントレイ２６と該記録紙積載メイントレイに回動可能に取り付けられた記録紙積載サブトレイ２８とから成り、記録紙カバー２７は記録紙積載メイントレイ２６に回動可能に取り付けられている構成としたので、記録紙積載トレイ１２を２部品から成る分割構造にして先端部の記録紙積載サブトレイ２８を閉じることにより、装置設置に必要な面積および高さを小さく（コンパクトに）することができる。また、記録紙積載メイントレイ２６に記録紙積載サブトレイ２８および記録紙カバー２７が取り付けられているため、記録紙トレイユニット１２として装置本体への装着を容易に行うことができる。さらに、記録紙カバー２７が記録紙排紙トレイを兼ねるため、部品削減によるコストダウンを実現できる。
【００４０】
また、記録紙積載メイントレイ２６を、最大積載記録シートの概略半分の長さまでを積載することが可能な部品サイズにするので、記録シートＰの分離性能に影響を及ぼす記録シート前半部分をしっかりと保持することができ、記録紙積載サブトレイ２８を折りたたむことにより装置のコンパクト化を図ることができる。また、記録紙積載サブトレイ２８を回転させて閉じた状態では、記録紙カバー２７の外側の面と記録紙積載サブトレイ２８の非積載面とが概略同一面になるように構成することで、記録紙積載サブトレイ２８を折りたたんだ状態でも違和感なくすっきりとした外装形態にすることができる。
【００４１】
また、記録紙積載メイントレイ２６に取り付けられた記録紙カバー２７を開いた時、該記録紙カバーの重心が該記録紙カバーの回転中心より開き側になる構成にしたので、手を離しても記録紙カバー２７を開いた状態に保つことができ、記録シート（記録紙）Ｐを記録紙積載トレイにセットする際の操作性を高めることができる。さらに、記録紙積載メイントレイ２６に取り付けられた記録紙カバー２７を開いた状態で記録シートが排出される場合に、排紙される記録シートの先端により記録紙カバー２７を閉じることができるように、記録紙カバー２７の重心の位置が選定されているので、ユーザが操作を誤り、記録紙カバー２７を開いたまま記録紙の排紙動作を行っても、記録シートＰの搬送に際しジャム等の不具合を生じることがなく、もって、操作性および取り扱い性を更に向上させることができる。
【００４２】
なお、以上の実施例では、記録シート保持装置がファクシミリ装置で用いられる場合を例に挙げて説明したが、本発明を適用した記録シート保持装置は、プリンタ、複写機、その他の記録装置など、記録紙積載トレイを備えた機器であれば広く適用可能なものであり、同様の作用効果が得られるものである。また、以上の実施形態では、画像記録部５が熱転写記録手段である場合を例に挙げて説明したが、本発明による記録手段保持装置は、インクジェット記録手段、ワイヤドット式記録手段、レーザービームを用いる記録手段、感熱シートに記録する記録手段など、他の記録方式の記録手段を用いる機器においても同様に適用なものであり、同様の作用効果が得られるものである。
【００４３】
また、本発明は、１個の記録手段を用いる場合、異なる色で記録する複数の記録手段を用いるカラー記録部、あるいは同一色彩で異なる濃度で記録する複数の記録手段を用いる階調記録装部、さらには、これらを組み合わせた記録部を用いる機器においても、同様に適用することができ、同様の効果を達成し得るものである。さらに、本発明は、インクジェット記録装置の記録シート保持装置の場合、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。
【図面の簡単な説明】
【００４４】
【図１】本実施形態に係る記録シート保持装置を備えたファクシミリ装置の外観斜視図である。
【図２】本実施形態に係る記録シート保持装置を備えたファクシミリ装置の構成を示す中央部縦断面図である。
【図３】図２のファクシミリ装置の記録部周辺を拡大して示す模式的部分縦断面図である。
【図４】図２のファクシミリ装置の駆動系を示す図であり、（ａ）は駆動系の側面図であり、（ｂ）は駆動系およびローラ類を斜め上から見た斜視図である。
【図５】図２のファクシミリ装置に装着されるインクシートカートリッジを示す模式的斜視図である。
【図６】図２のファクシミリ装置に記録シートをセットする時の状態を示す模式的縦断面図である。
【図７】図２のファクシミリ装置において表示ユニットを折りたたんだ時の状態を示す模式的側面図である。
【図８】図２のファクシミリ装置において記録紙積載サブトレイを折りたたんだ時の状態を示す模式的側面図である。
【図９】従来の記録シート保持装置を備えた記録装置の構造例をファクシミリ装置の場合を例に挙げて示す模式的縦断面図である。
【符号の説明】
【００４５】
２        ＡＳＦ部（自動給紙部）
３        画像記録部
５        読取部
６        ＡＤＦ部
８        下カバーユニット
９        上カバーユニット
１０      操作パネル部
１１      ＡＤＦフレームユニット
１２      記録紙トレイユニット
１４      表示ユニット
１５      操作部ユニット
１６      装置本体
２４      下カバー
２４ｂ    リブ
２６      記録紙積載メイントレイ
２７      記録紙カバー
２８      記録紙積載サブトレイ
２９      開口部（記録紙挿入口）
３１      記録予備圧接アーム
３２      給紙フレーム
３２ａ    給紙フレームシート
３３      ピックアップローラ
３４      記録分離パッド
３４ａ    記録分離パッドばね
３５      ＰＥセンサ（紙端検知センサ）
３６      インクシートカートリッジ
３６ａ    インクシート
３６ｂ    供給側の紙管
３６ｃ    巻き取り側の紙管
３７      アインダーガイド
３８      Ｕターンガイド
３９      プラテンローラ
４１      ＴＰＨ（Thermal Print Head) 
４１ｂ    ＴＰＨステー
４２      排紙ローラ
４２ａ    排紙コロ
４３      インクシートセンサ
４４      開口部（原稿挿入口）
４５      原稿給紙口カバー
４６      ＤＳセンサ
４７      分離ローラ
４８      分離片
４９      ＤＥＳセンサ
５０      ＣＩＳ
５１      ＣＩＳローラ
５７      開口部
７４      底板
１０７    原稿搬送路
１１７    記録シート（記録紙）搬送路
１２０    ファクシミリ装置
Ｐ        記録シート（記録紙）
【図１】
2005119858.tif 000003
【図２】
2005119858.tif 000004
【図３】
2005119858.tif 000005
【図４】
2005119858.tif 000006
【図５】
2005119858.tif 000007
【図６】
2005119858.tif 000008
【図７】
2005119858.tif 000009
【図８】
2005119858.tif 000010
【図９】
2005119858.tif 000011